(57)【要約】【課題】報知が必要な時期にのみ報知を行い、報知が不要な時期には報知を行わないようにすることで、浴室の使用者の使い勝手を向上させた給湯システムを提供することを目的とする。【解決手段】浴室１３に給湯可能な貯湯タンクユニット２と、浴室１３の温度を検出する浴室温度検出手段７と、居室１２の温度を検出する居室温度検出手段６と、屋外温度を検出する屋外温度検出手段５と、屋外温度が所定値以下で、かつ居室１２の温度と浴室１３の温度との温度差が所定値以上である場合に、浴室１３の使用者に対して入浴に注意を促す注意喚起情報を報知する。【選択図】図３
2012017880.tif 000002
【特許請求の範囲】
【請求項１】
浴室に給湯可能な給湯機と、
前記浴室の温度を検出する浴室温度検出手段と、
居室の温度を検出する居室温度検出手段と、
屋外温度を検出する屋外温度検出手段と、
前記屋外温度が所定値以下で、かつ前記居室の温度と前記浴室の温度との温度差が所定値以上である場合に、前記浴室の使用者に対して入浴に注意を促す注意喚起情報を報知する報知手段と、
を備えることを特徴とする給湯システム。
【請求項２】
前記浴室温度検出手段および前記報知手段を備え、前記給湯機を遠隔制御する浴室用リモコンと、
前記居室温度検出手段および前記報知手段を備え、前記給湯機を遠隔制御する居室用リモコンと、
を備え、
所定の検出期間内に検出された前記浴室の温度、前記居室の温度、および前記屋外温度を利用して、前記報知手段による前記注意喚起情報の報知実施の要否を判断する判断手段を備えたことを特徴とする請求項１記載の給湯システム。
【請求項３】
前記所定の検出期間とは、前記浴室内の浴槽に前記給湯機で湯張りを開始したときから該湯張りを終了したときまでであることを特徴とする請求項２記載の給湯システム。
【請求項４】
前記報知手段による前記注意喚起情報の報知実施を前記湯張り終了時以降に行うことを特徴とする請求項２または３に記載の給湯システム。
【発明の詳細な説明】
【技術分野】
【０００１】
この発明は、浴槽に給湯可能な給湯システムに関する。
【背景技術】
【０００２】
一般的に、冬季の入浴の際、暖かい居室から寒冷な浴室への移動に伴う室温の急激な変化により、入浴者の血圧が急激に上昇・下降し、体に大きな負担を及ぼすことが知られている。従来、例えば特許文献１には、居室と浴室との温度差等を監視し、必要に応じて入浴者に注意喚起の報知を行う入浴監視システムが開示されている。
【先行技術文献】
【特許文献】
【０００３】
【特許文献１】特開２００４−２５４９９６号公報
【非特許文献】
【０００４】
「話のたまご」、［online］、１９９９年１２月、東京ガス株式会社  広報部、東京ガスホームページ、［平成２２年６月２４日検索］、インターネット〈ＵＲＬ：http://www.tokyo-gas.co.jp/tamago/9912.html〉
【発明の概要】
【発明が解決しようとする課題】
【０００５】
上記非特許文献１によれば、一般的に、屋外温度（外気温度）が低いほど人間の血圧は高くなるので、冬季の方が血圧の変化による健康リスクが高いと考えられる。しかしながら、上記特許文献１に記載の手法では、夏季のように比較的温暖で健康リスクが低い時期であっても、入浴者に報知を行ってしまうことが考えられる。
【０００６】
この発明は、上述のような課題を解決するためになされたもので、報知が必要な時期にのみ報知を行い、報知が不要な時期には報知を行わないようにすることで、浴室の使用者の使い勝手を向上させた給湯システムを提供することを目的とする。
【課題を解決するための手段】
【０００７】
この発明に係る給湯システムは、浴槽に給湯可能な給湯機と、浴槽が設置された浴室の温度を検出する浴室温度検出手段と、居室の温度を検出する居室温度検出手段と、屋外温度を検出する屋外温度検出手段と、屋外温度が所定値以下で、かつ居室の温度と浴室の温度との温度差が所定値以上である場合に、浴室の使用者に対して入浴に注意を促す注意喚起情報を報知する報知手段と、を備えたものである。
【発明の効果】
【０００８】
この発明によれば、報知が必要な時期にのみ報知を行い、報知が不要な時期には報知を行わないようにすることで、浴室の使用者の使い勝手を向上させた給湯システムを提供することができる。
【図面の簡単な説明】
【０００９】
【図１】本発明の実施の形態１における給湯システムの構成を説明するための図である。
【図２】図１に示す給湯システムの制御ブロック図である。
【図３】本発明の実施の形態１の給湯システムの動作を示すフローチャートである。
【図４】図１に示す居室温度検出手段および浴室温度検出手段の設置場所の変形例を説明するための図である。
【発明を実施するための形態】
【００１０】
以下、本発明における給湯システムの実施の形態について、図面を参照して詳細に説明する。なお、本発明は、以下に説明する実施の形態に限定されるものではない。
【００１１】
実施の形態１．
図１は、本発明の実施の形態１における給湯システム１００の構成を説明するための図である。図１に示す給湯システム１００は、給湯熱源として機能するヒートポンプユニット１と、ヒートポンプユニット１で加熱された温水を蓄える貯湯タンク（図示省略）を有する貯湯タンクユニット２と、貯湯タンクユニット２を遠隔操作するための居室用リモコン３および浴室用リモコン４とを備えている。ヒートポンプユニット１、貯湯タンクユニット２、居室用リモコン３および浴室用リモコン４は、相互に通信線１１を介して電気的に接続されている。給湯システム１００では、貯湯タンクユニット２から建物１０の浴室１３に設置された浴槽（図示省略）等への給湯が行われる。
【００１２】
ヒートポンプユニット１と貯湯タンクユニット２とは、当該給湯システム１００が使用される建物１０の屋外に設置されている。居室用リモコン３は建物１０の居室１２に設置され、浴室用リモコン４は建物１０の浴室１３に設置されている。また、貯湯タンクユニット２には、外気温度、より具体的には建物１０の屋外の温度を検出するための屋外温度検出手段（センサ）５が内蔵されている。更に、居室用リモコン３には、居室１２内の温度を検出するための居室温度検出手段（センサ）６が内蔵されており、浴室用リモコン４には、浴室１３内の温度を検出するための浴室温度検出手段（センサ）７が内蔵されている。
【００１３】
図２は、図１に示す給湯システム１００の制御ブロック図である。図２に示すように、ヒートポンプユニット１には、貯湯タンクユニット２との通信を行うためのヒートポンプユニット通信部５２と、当該ヒートポンプユニット１の各部位の制御を行うためのヒートポンプユニット演算部（制御部）５１とが内蔵されている。
【００１４】
貯湯タンクユニット２には、居室用リモコン３および浴室用リモコン４との通信を行うためのタンクユニット通信部２２、上記屋外温度検出手段５、居室１２の温度と浴室１３の温度とを比較し結果を返すための温度比較部２４、ヒートポンプユニット１との通信を行う対ヒートポンプユニット通信部２５、および当該貯湯タンクユニット２の各部位の制御を行うためのタンクユニット演算部（制御部）２１がそれぞれ内蔵されている。
【００１５】
居室用リモコン３には、貯湯タンクユニット２および浴室用リモコン４との通信を行うための居室用リモコン通信部３２、上記居室温度検出手段６、情報を表示するための居室用リモコン表示部３４、報知音などを発するための居室用リモコン発音部３５、湯張りなどの操作を行うための居室用リモコン操作部３６、および当該居室用リモコン３の各部位の制御を行うための居室用リモコン演算部３１がそれぞれ内蔵されている。
【００１６】
また、浴室用リモコン４にも、居室用リモコン３と同様に、貯湯タンクユニット２および居室用リモコン３との通信を行うための浴室用リモコン通信部４２、上記浴室温度検出手段７、情報を表示するための浴室用リモコン表示部４４、報知音などを発するための浴室用リモコン発音部４５、湯張りなどの操作を行うための浴室用リモコン操作部４６、および浴室用リモコン４の各部位の制御を行うための浴室用リモコン演算部４１がそれぞれ内蔵されている。
【００１７】
次に、図３は、本発明の実施の形態１の給湯システム１００の動作を示すフローチャートである。ここでは、居室用リモコン３または浴室用リモコン４で湯張り開始操作が行われてから湯張りが終了するまでの所定の検出期間内において屋外温度、浴室温度および居室温度の検出を行い、かつ、湯張り終了後に、上記検出期間内に検出された各温度のうち最低値を用いて各判定を行ったうえで必要に応じて音声および表示による報知を行う場合を例にして動作説明を行う。
【００１８】
図３に示すように、まず、ステップＳ１では、居室用リモコン操作部３６または浴室用リモコン操作部４６を用いて湯張り開始操作が行われたか否かが判定される。その結果、湯張り開始操作が行われた場合には、ステップＳ２にて屋外の温度が屋外温度検出手段５を用いて検出される。
【００１９】
次に、ステップＳ３では、居室温度検出手段６を用いて居室１２の温度が検出されたうえで、居室用リモコン通信部３２およびタンクユニット通信部２２を経由して、検出された居室１２の温度が温度比較部２４に送信される。
【００２０】
次に、ステップＳ４では、上記ステップＳ３と同様に、浴室温度検出手段７を用いて浴室１３の温度が検出されたうえで、浴室用リモコン通信部４２およびタンクユニット通信部２２を経由して、検出された浴室１３の温度が温度比較部２４に送信される。
【００２１】
上記のステップＳ２〜Ｓ４の処理は、ステップＳ５にて湯張りが終了したことが検出されるまで繰り返し実行される。これにより、上記検出期間中における屋外温度、浴室温度および居室温度の履歴が取得される。
【００２２】
次に、以上のステップＳ２〜Ｓ４の処理により得た情報を基に、現在の温度環境が入浴者の健康に負担が大きい温度環境であるか否かが判断される。具体的には、まず、ステップＳ６では、ステップＳ２の処理により得た上記検出期間中の屋外温度の最低値を基に、現在の季節が判断される。ここでは、一例として、冬季を１１月から１月と仮定し、気象庁のホームページに掲載されている１９７１年から２０００年までの東京都・東京地区の平均温度から、冬季の屋外温度（外気温度）は９℃以下であるものとする。
【００２３】
上記ステップＳ６において屋外温度の最低値が９℃度以下であると判定された場合には、現在の温度環境が入浴者の健康に負担の大きい温度環境（冬季など）であると判断され、次のステップＳ７に進む。一方、上記ステップＳ６において屋外温度の最低値が９℃以下ではないと判定された場合には、現在の温度環境が入浴者の健康への負担の小さい温度環境（夏季など）であると判断され、図３のフローチャートの処理が直ちに終了される。
【００２４】
次に、ステップＳ７では、上記ステップＳ３およびＳ４の処理によりそれぞれ得た温度が温度比較部２４にて比較され、居室１２と浴室１３との温度差が算出される。温度比較部２４は、上記ステップＳ３およびＳ４にて検出された居室１２の温度の最低値と浴室１３の温度の最高値同士を比較し、両室の温度差が入浴者の健康に負担の大きい値であるか否かを判断する。法研社発行の「高血圧・動脈硬化」（２００７年７月１２日発行）によると、部屋間の温度差は５℃以内に収めることが理想的であるとされている。
【００２５】
そこで、上記ステップＳ７において上記温度差が５℃以上であると判定された場合には、現在の温度環境が入浴者の健康に負担の大きい温度環境であると判断され、次のステップＳ８に進む。一方、上記ステップＳ７において上記温度差が５℃以下であると判定された場合には、現在の温度環境が入浴者の健康への負担の小さい温度環境であると判断され、図３のフローチャートの処理が直ちに終了される。
【００２６】
上記のステップＳ６およびＳ７の判定がともに成立した場合、すなわち、これらのステップＳ６およびＳ７のそれぞれにおいて現在の温度環境が入浴者の健康への負担の大きい温度環境であると判断された場合には、ステップＳ８にて、居室用リモコン３および浴室用リモコン４を用いて、浴室１３の使用者に対して入浴に注意を促す注意喚起情報の報知が実行される。
【００２７】
具体的には、上記ステップＳ８における注意喚起情報の報知は、居室用リモコン３に内蔵されている居室用リモコン表示部３４および居室用リモコン発音部３５、並びに浴室用リモコン４に内蔵されている浴室用リモコン表示部４４および浴室用リモコン発音部４５を用いて、上記ステップＳ５の判定成立時、すなわち湯張り終了時に行われる。このタイミングで行うことで、使用者が入浴を開始するタイミングにあわせて報知することができる。居室用リモコン表示部３４および浴室用リモコン表示部４４では、警告表示または画面点滅などが行われ、また、居室用リモコン発音部３５および浴室用リモコン発音部４５では、警告音が発せられ、入浴者の注意が喚起される。
【００２８】
以上説明したように、本実施形態の制御によれば、屋外温度が所定値（例えば、上記の９℃）以下で、かつ居室１２の温度と浴室１３の温度との温度差が所定値（例えば、上記の５℃）である場合に、上記注意喚起情報が報知される。すなわち、居室１２の温度と浴室１３の温度との温度差だけでなく、現在の季節が入浴者の健康への負担の大きい時期であるか否かを考慮して、上記注意喚起情報の報知の要否が判断される。これにより、夏季などのように比較的温暖で健康リスクが低い時期において、入浴者に上記注意喚起情報の不必要な報知を行ってしまうのを回避することができる。このため、報知が必要な時期にのみ報知を行い、報知が不要な時期には報知を行わないようにすることで、浴室１３の使用者の使い勝手を向上させた給湯システムを得ることが可能となる。
【００２９】
ところで、上述した実施の形態１においては、居室用リモコン３に居室温度検出手段６が内蔵され、浴室用リモコン４に浴室温度検出手段７が内蔵されている構成を例に挙げて説明を行った。しかしながら、本発明における居室温度検出手段および浴室温度検出手段の設置場所は、上記に限定されるものではなく、例えば、以下の図４に示すものであってもよい。図４は、図１に示す居室温度検出手段６および浴室温度検出手段７の設置場所の変形例を説明するための図である。尚、図４において、上記図１と同一部分または相当部分は同一符号を付し説明を省略する。
【００３０】
図４に示す構成では、居室温度検出手段６および浴室温度検出手段７がそれぞれ居室用リモコン３および浴室用リモコン４から離れた位置に設置されている。このような構成によれば、居室温度検出手段６および浴室温度検出手段７を、居室１２および浴室１３内の任意の箇所に設置することが可能である。居室温度検出手段６等を居室用リモコン３等に内蔵している場合、居室用リモコン３等の実際の設置環境によっては、居室用リモコン３等が設置されている場所の温度が各部屋の温度を正確に表示しない場合が考えられる。そのような場合に、図４に示すように、居室温度検出手段６等を居室用リモコン３等から分離できる形態とすることにより、居室用リモコン３等の設置場所とは独立して、温度検出箇所を決定することができ、使い勝手が向上する。
【００３１】
また、上述した実施の形態１においては、上記ステップＳ６およびＳ７の判定がともに成立した場合に、居室用リモコン表示部３４および浴室用リモコン表示部４４による警告表示等を用いた視覚的な報知を行い、かつ、居室用リモコン発音部３５および浴室用リモコン発音部４５による警告音を用いた聴覚的な報知を行っている。しかしながら、本発明における注意喚起情報の報知は、視覚的な報知および聴覚的な報知のうちの少なくとも一方を用いたものであればよい。
【００３２】
また、上述した実施の形態１においては、上記ステップＳ３およびＳ４の処理によりそれぞれ得た温度のうち、居室１２の温度の最低値と浴室１３の最高値同士を比較したが、これに替えて、例えば居室１２の温度の最高値と浴室１３の温度の最低値を比較（入浴によるヒートショックの最悪条件想定）したり、温度の測定誤差も考慮し、平均値を用いて比較するようにしてもよい。
【符号の説明】
【００３３】
１  ヒートポンプユニット
２  貯湯タンクユニット
３  居室用リモコン
４  浴室用リモコン
５  屋外温度検出手段
６  居室温度検出手段
７  浴室温度検出手段
１０  建物
１２  居室
１３  浴室
２４  温度比較部
３１  居室用リモコン演算部
３４  居室用リモコン表示部
３５  居室用リモコン発音部
４１  浴室用リモコン演算部
４４  浴室用リモコン表示部
４５  浴室用リモコン発音部
１００  給湯システム
【図１】
2012017880.tif 000003
【図２】
2012017880.tif 000004
【図３】
2012017880.tif 000005
【図４】
2012017880.tif 000006